【手続補正書】
【提出日】平成25年6月21日(2013.6.21)
【手続補正１】
【補正対象書類名】明細書
【補正対象項目名】発明の名称
【補正方法】変更
【補正の内容】
【発明の名称】画像処理装置および画像処理方法
【手続補正２】
【補正対象書類名】明細書
【補正対象項目名】０００８
【補正方法】変更
【補正の内容】
【０００８】
そのために本発明は、記録媒体と、第１のインクを吐出する第１のノズルが所定方向に配列された第１のノズル列と、前記第１のインクと異なる第２のインクを吐出する第２のノズルが前記所定方向に配列された第２のノズル列とを、前記所定方向と交差する方向に相対的に走査させて画像を記録するための画像処理を行う画像処理装置であって、所定の色に対する色補正の指示に関する情報を取得する第１の取得手段と、前記第１の取得手段が取得した前記色補正の指示に関する情報に基づいて、前記所定の色および前記所定の色に類似する類似色を前記記録媒体に記録するための色信号の入力に基づいて、前記第１、前記第２のノズル列から前記第１および前記第２のインクを吐出させることにより前記記録媒体へ画像を記録させる第１の記録制御手段と、前記第１の記録制御手段による制御により記録された前記所定の色および前記類似色のうちの特定された色の前記画像のうちの一部であり、前記第１のノズル列の一部のノズルと前記第２のノズル列の一部のノズルとにより記録された部分画像に対する色補正の指示に関する情報を取得する第２の取得手段と、前記第２の取得手段により色補正の指示に関する情報が取得された、前記特定された色を記録するための色信号に、前記特定された色を補正するために互いに異なる補正を行った複数の色信号に基づく複数の補正色画像を、前記第１のノズル列の一部のノズルと前記第２のノズル列の一部のノズルから前記第１および前記第２のインクを吐出させることにより前記記録媒体へ記録させる第２の記録制御手段と、を有することを特徴とする。
【手続補正３】
【補正対象書類名】特許請求の範囲
【補正対象項目名】全文
【補正方法】変更
【補正の内容】
【特許請求の範囲】
【請求項１】
記録媒体と、第１のインクを吐出する第１のノズルが所定方向に配列された第１のノズル列と、前記第１のインクと異なる第２のインクを吐出する第２のノズルが前記所定方向に配列された第２のノズル列とを、前記所定方向と交差する方向に相対的に走査させて画像を記録するための画像処理を行う画像処理装置であって、
所定の色に対する色補正の指示に関する情報を取得する第１の取得手段と、
前記第１の取得手段が取得した前記色補正の指示に関する情報に基づいて、前記所定の色および前記所定の色に類似する類似色を前記記録媒体に記録するための色信号の入力に基づいて、前記第１、前記第２のノズル列から前記第１および前記第２のインクを吐出させることにより前記記録媒体へ画像を記録させる第１の記録制御手段と、
前記第１の記録制御手段による制御により記録された前記所定の色および前記類似色のうちの特定された色の前記画像のうちの一部であり、前記第１のノズル列の一部のノズルと前記第２のノズル列の一部のノズルとにより記録された部分画像に対する色補正の指示に関する情報を取得する第２の取得手段と、
前記第２の取得手段により色補正の指示に関する情報が取得された、前記特定された色を記録するための色信号に、前記特定された色を補正するために互いに異なる補正を行った複数の色信号に基づく複数の補正色画像を、前記第１のノズル列の一部のノズルと前記第２のノズル列の一部のノズルから前記第１および前記第２のインクを吐出させることにより前記記録媒体へ記録させる第２の記録制御手段と、
を有することを特徴とする画像処理装置。
【請求項２】
前記類似色を決定する決定手段を有し、
前記決定手段は、前記所定の色を記録するインクの色と同じ色のインクを用いて記録媒体に記録される色の中から前記類似色を決定することを特徴とする請求項１に記載の画像処理装置。
【請求項３】
前記決定手段は、前記所定色を記録するインクの色と同じ色のインクを用いて記録媒体に記録される色を複数決定し、決定された複数の色それぞれと前記部分画像の色との複数の類似度を取得し、前記複数の類似度に基づいて、前記類似色を決定することを特徴とする請求項２に記載の画像処理装置。
【請求項４】
前記決定手段は、複数決定された、前記所定の色と同じ色のインクを用いて記録媒体に記録される色に対応する信号値それぞれ、の差分に基づいて前記複数の類似度を決定することを特徴とする請求項３に記載の画像処理装置。
【請求項５】
前記決定手段は、前記色補正の指示に関する情報において指示された前記所定の色を記録するために使用されるインクの色と同じ色のインクを用いて記録媒体に記録される色の中から一つまたは複数の前記類似色を決定することを特徴とする請求項２乃至４のいずれか１項に記載の画像処理装置。
【請求項６】
前記信号値はＲＧＢ値であることを特徴とする請求項１乃至５のいずれか１項に記載の画像処理装置。
【請求項７】
前記複数の補正色画像の中から決定された一つの前記補正色画像に基づき、前記第１のノズル列の前記一部のノズルと前記第２のノズル列の前記一部のノズルから前記第１および前記第２のインクを吐出させることにより前記特定された色を記録するために入力される色信号を補正するための前記補正パラメータを決定する補正パラメータ決定手段と、
前記特定された色を記録するための色信号の入力と、前記補正パラメータ決定手段により決定された前記補正パラメータと、に基づいて前記第１のノズル列の一部のノズルと前記第２のノズル列の一部のノズルにより前記記録媒体に画像を記録させる第３の記録制御手段と、
を更に有することを特徴とする請求項１乃至６のいずれか１項に記載の画像処理装置。
【請求項８】
前記所定の色は、ユーザにより決定されることを特徴とする請求項１乃至７のいずれか１項に記載の画像処理装置。
【請求項９】
前記第２の取得手段は、ユーザによる入力により部分画像に対する色補正の指示に関する情報を取得することを特徴とする請求項１乃至８のいずれか１項に記載の画像処理装置。
【請求項１０】
前記第１のノズル列と前記第２のノズル列とを備えた記録ヘッドと、
前記第１、第２の記録制御手段による制御に基づいて、前記記録ヘッドと記録媒体とを前記所定方向と交差する方向に相対的に走査させながら前記第１、前記第２のノズル列から前記第１および前記第２のインクを吐出させることにより画像を記録する記録手段とを、
更に有することを特徴とする請求項１乃至８のいずれか１項に記載の画像処理装置。
【請求項１１】
記録媒体と、第１のインクを吐出する第１のノズルが所定方向に配列された第１のノズル列と、前記第１のインクと異なる第２のインクを吐出する第２のノズルが前記所定方向に配列された第２のノズル列とを、前記所定方向と交差する方向に相対的に走査させて画像を記録するための画像処理方法であって、
所定の色に対する色補正の指示に関する情報を取得する第１の取得工程と、
前記第１の取得工程で取得された前記色補正の指示に関する情報に基づいて、前記所定の色および前記所定の色に類似する類似色を前記記録媒体に記録するための色信号の入力に基づいて、前記第１、前記第２のノズル列から前記第１および前記第２のインクを吐出させることにより前記記録媒体へ画像を記録させる第１の記録制御工程と、
前記第１の記録制御工程により記録された前記所定の色および前記類似色のうちの特定された色の前記画像のうちの一部であり、前記第１のノズル列の一部のノズルと前記第２のノズル列の一部のノズルとにより記録された部分画像に対する色補正の指示に関する情報を取得する第２の取得工程と、
前記第２の取得工程により色補正の指示に関する情報が取得された、前記特定された色を記録するための色信号に、前記特定された色を補正するために互いに異なる補正を行った複数の色信号に基づく複数の補正色画像を、前記第１のノズル列の一部のノズルと前記第２のノズル列の一部のノズルから前記第１および前記第２のインクを吐出させることにより前記記録媒体へ記録させる第２の記録制御工程と、
を有することを特徴とする画像処理方法。
【請求項１２】
請求項１１に記載の画像処理方法を、コンピュータに実行させるためのプログラムを記憶する記憶媒体。